【事件の表示】
　特許第２７６９６８９号「パチンコ機の制御装置」の特許に対する特許異議の申立てについて、次のとおり決定する。
【結論】
　訂正を認める。
　特許第２７６９６８９号の特許を維持する。
【理由】
（１）手続の経緯
　特許第２７６９６８９号発明は、昭和６２年１２月２８日に特許出願され、平成１０年４月１７日にその特許の設定登録がなされたところ、株式会社エルイーテック及び細江裕実より特許異議の申立てがなされ、平成１１年４月２３日付で取消理由通知がなされ、その指定期間内である平成１１年７月２２日に訂正請求がなされたものである。
（２）訂正の適否についての判断
ア．訂正明細書の発明の要旨
　訂正明細書の発明の要旨は、その明細書及び図面の記載からみて、その特許請求の範囲に記載された次のとおりのものである。
「１．パチンコ機の制御に係るプログラムおよびデータが予め格納されているＲＯＭと、前記プログラムを実行するＣＰＵとを備えるパチンコ機の制御装置において、
　前記ＲＯＭを、遊技内容または仕様が異なる複数種類の前記パチンコ機の各々に対して、共通使用可能な基本プログラムが格納されている共通ＲＯＭと、
　前記複数種類の前記パチンコ機の各々に対して、固有な非共通プログラムが格納されている非共通ＲＯＭとで構成し、
　少なくとも前記共通ＲＯＭおよびＣＰＵが一体に形成される集積回路を設けていることを特徴とするパチンコ機の制御装置。」
イ．訂正の内容
▲１▼訂正事項ａ
　発明の名称「遊技機器の制御装置」を、「パチンコ機の制御装置」と訂正する。
▲２▼訂正事項ｂ
特許請求の範囲（平成９年１１月１７日付け手続補正書第２頁第４行、特許掲載公報第１欄第６行）「複数種類の前記パチンコ機」を、「遊技内容または仕様が異なる複数種類の前記パチンコ機」と訂正する。
▲３▼訂正事項ｃ
　特許請求の範囲（平成９年１１月１７日付け手続補正書第２頁第４行〜第５行、特許掲載公報第１欄第７行）「共通使用可能な内容」を、「共通使用可能な基本プログラム」と訂正する。
▲４▼訂正事項ｄ
　特許請求の範囲（平成９年１１月１７日付け手続補正書第２頁第６行、特許掲載公報第１欄第１０行）「非共通内容」を、「非共通プログラム」と訂正する。
▲５▼訂正事項ｅ
　明細書（平成９年１１月１７日付け手続補正書第２頁第１５行、特許掲載公報第１欄第１５行）の【０００１】の次に、「【発明の属する技術分野】」を挿入する。
▲６▼訂正事項ｆ
　明細書（平成９年１１月１７日付け手続補正書第２頁第２３行、特許掲載公報第２欄第２行）の【０００２】の次に、「【従来の技術】」を挿入する。
▲７▼訂正事項ｇ
　明細書（【００１２】第３行〜第４行、特許掲載公報第３欄第４１行）の「復数」を、「複数枚の」と訂正する。
▲８▼訂正事項ｈ
　明細書（平成９年１１月１７日付け手続補正書第４頁第１４行〜第１７行、特許掲載公報第５欄第１５行〜第１９行）の「前記ＲＯＭを．複数種類の前記パチンコ機の各々に対して、共通使用可能な内容が格納されている共通ＲＯＭ３２と、前記複数種類の前記パチンコ機の各々に対して、固有な非共通内容が格納されている非共通ＲＯＭ２０」を、「前記ＲＯＭを、遊技内容または仕様が異なる複数種類の前記パチンコ機の各々に対して、共通使用可能な基本プログラムが格納されている共通ＲＯＭ３２と、前記複数種類の前記パチンコ機の各々に対して、固有な非共通プログラムが格納されている非共通ＲＯＭ２０」と訂正する。
▲９▼訂正事項ｉ
　明細書（平成８年８月２０日付け手続補正書第２頁第２８行及び第２９行、特許掲載公報第５欄第２２行及び第２４行）の「遊技機器２」を、「パチンコ機２」と訂正する。
▲１０▼訂正事項ｊ
　明細書（平成８年８月２０日付け手続補正書第３頁第５行、特許掲載公報第５欄第３１行〜第３２行）の「を抑止し、電源回路３４は共通集積回路４２に電力を供給する。」を、「を抑止する。」と訂正する。
▲１１▼訂正事項ｋ
　明細書（平成９年１１月１７日付け手続補正書第６頁第１２行、特許掲載公報第６欄第８行）の「４５下皿」を、「４５は下皿」と訂正する。
▲１２▼訂正事項ｌ
　明細書（【００３６】第２行、特許掲載公報第６欄第２１行）の「ハンドル２３操作」を、「ハンドル２３の操作」と訂正する。
▲１３▼訂正事項ｍ
　明細書（【００４６】第５行〜第６行、特許掲載公報第７欄第２４行〜第２５行）の「その周辺回路における相関関係とのハードウエアおよびソフトウエアについて解析」を、「その周辺回路における相関関係についてハードウエアおよびソフトウエアを解析」と訂正する。
▲１４▼訂正事項ｎ
　明細書第１３頁末行（特許掲載公報第１０欄第３１行）の「４２デュアルインラインパッケージ」を、「４２Ａデュアルインラインパッケージ」と訂正する。
ウ．訂正の目的の適否、新規事項の有無及び拡張・変更の存否
　上記訂正ａは、「遊技機器」を、より下位概念の「パチンコ機」に限定するものであって、明瞭でない記載の釈明に該当する。
　上記訂正ｂは、「複数種類の前記パチンコ機」を、「遊技内容または仕様が異なる複数種類の前記パチンコ機」と限定するものであって、特許請求の範囲の減縮に該当する。
　上記訂正ｃは、「共通使用可能な内容」を、「より下位概念の「共通使用可能な基本プログラム」と限定するものであって、特許請求の範囲の減縮に該当する。
　上記訂正ｄは、「非共通内容」を、より下位概念の「非共通プログラム」と限定するものであって、特許請求の範囲の減縮に該当する。
　上記訂正ｅ、ｆは、明細書の項分け記載の表題を挿入するものであって、明瞭でない記載の釈明に該当する。
　上記訂正ｇは、誤記の訂正に該当する。
　上記訂正ｈ、ｉは、特許請求の範囲の訂正に伴い発明の詳細な説明を整合させるものであって、明瞭でない記載の釈明に該当する。
　上記訂正ｊ〜ｍは、明瞭でない記載の釈明に該当する。
　上記訂正ｎは、誤記の訂正に該当する。
　上記いずれの訂正も願書に添付した明細書又は図面に記載された事項の範囲内のものであって、実質的に特許請求の範囲を拡張又は変更するものではない。
エ．独立特許要件の判断
（引用刊行物）
　訂正明細書の発明（以下「本件発明」という。）に対して、当審が平成１１年４月２３日付けの取消理由で引用した刊行物１〜７には、それぞれ以下の事項が記載されている。
刊行物１（特開昭６１−２５９６８５号公報）
「先ず、第１０図において、前述したパチンコ遊技機３００の制御装置２００は、半導体集積回路装置化されたプログラム格納式のＣＰＵ（中央処理装置：マイクロ・コンピュータ）２１０を用いて構成されている。
　すなわち、第１０図に示す制御装置２００は、ＣＰＵ２１０、ＲＯＭ（読出し専用記憶装置）２２０、ＲＡＭ（ランダム・アクセス・メモリ）２３０、アドレスデコーダ２４０、Ｉ／Ｏ（入出力）ユニット２５０、クロック信号発生手段２８０、リセット信号発生手段２９０、アドレスバスＬＡ、データバスＬＢ、および論理ゲートＧＩなどによって構成されている。
　ＣＰＵ２１０には、８ビットタイプのもの（型番：Ｚ８０）が使用されている。このＣＰＵ２１０は、アドレス端子（Ａ０〜Ａ１５）、データ端子（Ｄ０〜Ｄ７）、読出制御端子ＲＤ、書込制御端子ＷＲ、クロック端子ＣＫ、およびリセット端子Ｒなどの機能端子を有する。これらのほかの重要な機能端子としては割込入力端子（図示省略）がある。しかしここでは、その割込端子は使用されていない。その代わりに、リセット端子Ｒが使用されるようになっている。リセット端子Ｒの使い方については後述する。なお、ここで使われているＣＰＵ２１０（Ｚ８０）は、１６本のアドレス端子（Ａ０〜Ａ１５）によって６４ｋバイトのアドレス空間を有する。しかし、ここで使われるのはその中のわずか２ｋバイト程度である。
　ＲＯＭ２２０は、上記ＣＰＵ２１０が実行するプログラムおよび固定データを記憶する。このＲＯＭ２２０には記憶容量２ｋバイトのものが使用されている。この２ｋバイトという容量はＣＰＵ２１０（Ｚ８０）のアドレス空間６４ｋバイトに比べると、非常に小さな容量である。
　ＲＡＭ２３０は、上記ＣＰＵ２１０の作業領域（ワークエリア）および可変データの記憶領域を提供する。このＲＡＭ２３０にはスタチック型のものが使用されている。その記憶容量は非常に小さく押えられ、わずか１２８バイトにすぎない。この場合、１２８バイトのＲＡＭは入手が困難であるため、現実にはｌｋバイトのＲＡＭを使用している。このｌｋバイトのＲＡＭの上位アドレス端子を電源電位側に固定して殺すことにより、実際に使用可能な記憶容量を１２８バイトに押さえている。
　上述のように、ＲＯＭ２２０および２３０の各記憶容量はそれぞれ、非常に小さく押さえられている。これにより、いわゆるバグ（虫）と呼ばれるソフトエラーの発生の恐れを確実に排除することができるようになるとともに、ＣＰＵの暴走や無限ループヘの飛び込みなどといったような誤動作が発生する余地を大幅に少なくすることができるようになる。これによって、電気的かつ物理的に苛酷な使用環境下でも、非常に高い信頼性が得られるようになる。
　さらに、ＲＯＭ２２０およびＲＡＭ２３０の各記憶容量を極力小さくすることにより、プログラムの追加記入などによる改造が困難になる。仮に改造が行われたとしても、記憶容量が小さいために、その発見およびチェックは容易である。これによって、不正な改造によるパチンコ遊技機の悪用を防止することができる、という効果も併せて得られるようになる。
　アドレスデコーダ２４０は、ＣＰＵ２１０から発せられるアドレスデータ（Ａ０〜Ａ１１）をデコードして多数の択一的な選択信号Ｓ１〜Ｓ９を作成する。そのデコードの動作は、読出制御信号（ＲＤ）あるいは書込制御信号（ＷＤ）いずれか一方が能動化されることによって行なわれる。この２つの制御信号（ＲＤ／ＷＤ）はＣＰＵ２１０から発せられる。両信号（ＲＤ／ＷＤ）は論理ゲートＧ１によって互いの論理和がとられる。この論理和がアドレスデコーダ２４０の制御信号となる。
　アドレスデコーダ２４０から出力される選択信号Ｓ１〜Ｓ９の一部（Ｓ８、Ｓ９）は、上記ＲＯＭ２２０およびＲＡＭ２３０のチップセレクト信号として使用される。また、他の選択信号Ｓ１〜Ｓ７は、後述するＩ／Ｏユニット２５０内の入出力回路を制御するのに使用される。つまり、ここでは入出力チャンネルをアドレス空間に配置する、いわゆるメモリマップドＩ／０方式が採られている。このメモリマップドＩ／Ｏ方式を採ることによって、入出力チャンネルを開いたり閉じたりする複雑な手続き処理を行なわなくても．特定アドレスをアクセスするだけの単純な処理だけでもって、任意の入出力回路から入出力動作を行わせるようになっている。
　なお、メモリマップドＩ／Ｏ方式は、アドレス空間の一部がＩ／Ｏ領域によって占領されて狭くなるといったような問題があったため、一般のマイクロ・コンピュータシステムでの採用は困難であった。しかし、この実施例の制御装置２００では、上述したように、ＲＯＭ２２０およびＲＡＭ２３０のそれぞれの記憶容量が非常に少ないので、上記問題は全く考慮しなくてすむようになっている。
　Ｉ／Ｏユニット２５０は、制御装置２００とパチンコ遊技機本体３００との間のインターフェイス（Ｉ／Ｆ）部をなす。このＩ／Ｏユニット２５０には、後述するように、多数の入出力回路が設けられている。各入出力回路の動作は、上記選択信号Ｓ１〜Ｓ７によって個々に制御される。入出力回路の個々の構成については後述するが、例えばデコーダ、ラッチ回路、ドライバ、バッファゲート、アンプ（増幅器）などが使用される。
　クロック発生手段２８０は、周波数基準に水晶振動子Ｘｔａｌ（４ＭＨｚ）を用いることにより、例えば２ＭＨｚの高精度クロックパルスφｋを発生する。このクロックパルスφｋは上記ＣＰＵ２１０のクロック端子ＣＫに与えられる。
　リセット信号発生手段２９０は、上記クロックパルスφｋから一定周期のリセットパルスφｔを発生する。このリセットパルスφｔは上記ＣＰＵ２１０のリセット端子Ｒに与えられる。このリセット信号発生手段２９０はカウンタなどによって簡単かつ小規模に構成される。
　この場合、そのリセットパルスφｔは、そのデューティ幅すなわちパルス幅が、上記ＣＰＵ２１０を確実にリセットさせることができる長さを持たされている。また、そのパルス発生間隔すなわち周期は、上記ＣＰＵ２１０がＲＯＭに記憶されたプログラム命令を一通り実行する処理時間よりも確実に長くなるように設定されている。」（第１２頁右下欄第３行〜第１４頁右上欄第６行）
刊行物２（特開昭５５−１３３２７４号公報）
「（１）ＣＰＵ、入出力コントローラ、ＲＡＭ及びＲＯＭからなるマイクロコンピューターの構成要素が一つの素子上に形成された半導体素子により構成されたことを特徴とする弾球遊戯機。
（２）ＲＡＭはコンピュータの稼働中に記憶された弾球遊戯機の情報が書き換え可能であり、ＲＯＭはコンピュータの稼働中は書き換え不能で着脱可能な接合部より取外した後書き換え可能となる特許請求の範囲第（１）項記載の弾球遊戯機。」（特許請求の範囲）、
「本発明は、上述の様な弾球遊戯機の改良を図り、一つの素子上に形成された半導体素子を用いて電気的制御部を集約化することにより、従来の弾球遊戯機が採用している入賞穴への球の落入の検出を保持する保持回路、球の入賞穴への落入を一定時間表示するタイマー回路、入賞を判別する論理回路、入賞数を計数する計数回路等の回路構成を不必要となし、電気的制御部の構成を簡単化すると共に、上記各種回路間の接続を省略し、信号授受の際のエラーをなくし、しかも遊戯機の組立工数を減らして機単価を廉価にしようとするものである。」（第１頁右下欄第１１行〜第２頁左上欄第２行）、
「これ迄の説明から理解される様に、ゲーム機の機能及び遊戯内容はコンピューター部４３のＲＯＭ５１に記載させたプログラムにより支配されており、このプログラムを変更することにより入賞条件を設定する中央表示板５の配列状態を変更したり、打替可能な入賞穴の種類及び打替可能回数或いはラッキー穴に対応する入賞穴の変更、プレゼント入賞回数、その他様々の遊戯内容の変更を可能にすることがわかる。
　プログラムの変更はＲｅａｄ　Ｏｎｌｙ　Ｍｅｍｏｒｙ通称ＲＯＭと呼ばれるＩＣメモリーのマスクパターンを変更することにより行なわれる。予めコンピューター制御内容の異なるプログラムをセットした複数個のＲＯＭを準備しておき、所望により或いは必要によりコンピューター部４３のＩＣコネクター５２より必要とするＲＯＭ５１に着脱交換することにより、ゲーム機の機能及び遊戯内容は変更される。」（第５頁右上欄第１７行〜左下欄第１４行）、
「以上に述べたように、本発明の弾球遊戯機はＣＰＵ、入出力コントローラ、ＲＡＭ及びＲＯＭ全てのマイクロコンピューターの構成要素が一つの素子上に形成された半導体素子より構成されたことを特徴とするため、従来の弾球遊戯機が有していたような種々の回路のための配線が不要となり、電気制御部の構成が簡単になると共に、前記回路間の接続が不要となり、信号授受が確実になわれ、遊戯機の組立工数を減少せしめて機単価を廉価にし、量産がはかれるものである。」（第５頁左下欄第１５行〜右下欄第５行）、
刊行物３（特開昭６１−１７２５７４号公報）
「上記制御回路２１は、到来するデータを演算処理する論理演算部２５と、その演算手順及びその他の制御手順を記憶するプログラムメモリ２６と、データの一時記憶をするデータメモリ２７と、多数の入出力ポート２８とを、ＬＳＩパッケージ内に内蔵してなるマイクロコンピュータ構成の演算処理装置（以下ＣＰＵという）２９と、・・・で構成する。」（第３頁左下欄第１９行〜右下欄第７行）
刊行物４（特開昭５８−９２３８０号公報）
「ハードの追加や改造を不要にしてゲーム内容を変えることができるようにして、異なるゲーム内容に適用できるようにしたきわめて有効、適切な遊技機の制御方法及びその装置を提供することを目的とする。」（第１頁右下欄第１８行〜第２頁左上欄第２行）、
「第１図において、パチンコ機のセーフ球検出装置１、アウト球検出装置２、電動ヤクモノ３、賞球表示ランプ４、打止表示ランプ５、賞球送出装置６、打止装置７等の遊技機の端末機は、電子制御装置８内の入出力制御装置９を介してＣＰＵ（中央処理装置）１０に接続されており、ＣＰＵ１０にはＲＯＭ（リ一ドオンリーメモリ）１１、ＰＲＯＭ（プログラマブルリードオンリーメモリ）１２、ＲＡＭ（ランダムアクセスメモリ）１３、プログラム書込操作部１４がそれぞれ接続されている。」（第２頁左上欄９行〜第１８行）、
「図示の実施例では、電子制御装置８のプログラム書込操作部１４からＰＲＯＭ１２に、異なるゲーム内容を表わす各定数を書込むようになっている。プログラム書込操作部１４からＰＲＯＭ１２へ定数を書込む手段としては、番地操作キー、磁気カード、穿孔カード、磁気テープ等の適宜の手段を用いることができる。また、図示の実施例のようにＰＲＯＭ１２の記憶内容を変えてゲーム内容を変える場合のほかに、ＲＯＭを用い、各ＲＯＭに異なるゲーム内容を表わす定数を記憶させておき、所望のゲーム内容を記憶したＲＯＭと交換することによってゲーム内容を変えるようにすることもできる。」（第２頁左下欄第１１行〜右下欄第２行）、
「遊技機のゲーム内容の変化が定数として表示されるものは、例えばパチンコ機においてはセーフ球１個当りの賞出数があり、セーフ球１個当り１５個のパチンコ球を賞出するパチンコ機はオール１５のパチンコ機と称し、セーフ球１個当り１３個のパチンコ球を賞出するものはオール１３のパチンコ機と称しており、オール１３のゲーム内容のパチンコ機をオール１５のゲーム内容のパチンコ機に変えるには、ＰＲＯＭ１２にセーフ球１個当り１５個の賞球数を定数として表わして記憶させれば足りる。」（第２頁右下欄第１７行〜第３頁左上欄第６行）、
「電子制御装置８は、遊技機の種類によっては遊技機本体に固定又は着脱自在に組込んで設けるか又は遊技機本体とは別離に例えば遊技機の取付基枠等に設けることができる。電子制御装置８を遊技機に着脱自在又は遊技機本体と別に設けるには、遊技機の端末器を単一又は複数個の一方のコネクタに接続し、電子制御装置８の入出力制御装置９に接続された他方のコネクタに遊技機の該コネクタを着脱自在に接続することによって行なうことができる。
　遊技機の種類によっては遊技盤のみを交換してゲーム内容を変えるようにした分離式と呼ばれるものがあり、この場合は電子制御装置８を遊技盤以外の例えば遊技機枠体又は遊技機の取付基台等に設けておき、遊技盤と電子制御装置８の電気的接続は、遊技盤の裏面に設けたコネクタと電子制御装置８のコネクタで接続すればよい。交換される遊技盤によって、制御されるゲーム内容が異なるが、例えばパチンコ機にあってはパチンコ機の基本機能は同じであるから、それぞれの遊技盤に応じたゲーム内容をそれぞれの定数に表わして電子制御装置８のＰＲＯＭ１２を遊技盤ごとに記憶させれば、交換された遊技盤のゲーム内容を表わすパチンコ機として制御することができる。」（第３頁左上欄第１７行〜右上欄第２０行）、
「基本プログラムを変えることなく、制御内容を表わす定数のみを変えることによって遊技機のゲーム内容を変えることができるから、ゲーム内容の変更をきわめて簡単に行なうことができるという顕著な効果を奏する。」（第４頁左上欄第１７行〜右上欄第１行）、
刊行物５（特開昭５６−６８４７６号公報）
「制御装置５２はプログラムメモリ５３のプログラムによって動作する中央処理部５４を有するワンチップマイクロコンピュータ構成のＬＳＩでなり、遊技結果を表わすデータや、パチンコ機の動作及び管理上必要なデータを中央処理部５４の演算処理動作に応じてデータメモリ５５に記憶し、又はその記憶を読出すことができるようになされている。」（第３頁右下欄第６行〜第１３行）、
刊行物６（特開昭６２−１８３７８０号公報）
「（１）特定入賞口に於ける玉の入賞を検出する入賞検出装置を設け、該特定入賞口への入賞に応じて、より入賞確率の高くなる当たりモードを決定し、そのモードに応じて、入賞口への球の入賞確率を制御するとともに、発光装置、発音装置等の出力装置を駆動する制御装置とからなるパチンコ機において、前記制御装置を、ワンチップ上に第１、第２の中央処理装置が形成され、その両中央処理装置は、マクロ的に平行に動作するデュアルワンチップマイクロコンピュータで構成したことを特徴とするパチンコ機。
（２）前記デュアルワンチップマイクロコンピュータの内、第１の中央処理装置は、前記入賞確率を制御して、パチンコ機のゲーム進行を管理することを特徴とする特許請求の範囲第１項記載のパチンコ機。
（３）前記デュアルワンチップマイクロコンピュータの内、第２の中央処理装置は、発音装置、発光装置、その他の出力装置の内、少なくとも１を制御することを特徴とする特許請求の範囲第１項記載のパチンコ機。
（４）前記デュアルワンチップマイクロコンピュータの内、第２の中央処理装置は、特定入賞口への入賞に応じて偶然性に左右される事象を生起させ、その事象から当たりモードを決定する処理を行うことを特徴とする特許請求の範囲第１項記載のパチンコ機。」（第１頁左下欄第５行〜右下欄第１２行）、
「即ち、本発明は、特定入賞口に於ける玉の入賞を検出する入賞検出装置を設け、該特定入賞ロヘの入賞に応じて、より入賞確率の高くなる当たりモードを決定し、そのモードに応じて、入賞口への球の入賞確率を制御するとともに、発光装置、発音装置等の出力装置を駆動する制御装置とからなるパチンコ機において、
　前記制御装置を、ワンチップ上に第１、第２の中央処理装置が形成され、その両中央処理装置は、マクロ的に平行に動作するデュアルワンチップマイクロコンピュータで構成したことを特徴とするものである。
　前記デュアルワンチップマイクロコンピュータの２の中央処理装置の分業には、例えば、次の様な手段がある。第１は、第１の中央処理装置が入賞確率を制御して、パチンコ機のゲーム進行を主として管理し、他の仕事を第２の中央処理装置が行う方法である。第２は、第２の中央処理装置が発音装置、発光装置、その他の出力装置の内、少なくとも１を制御し、他の仕事を第１の中央処理装置が行う方法である。第３は、第２の中央処理装置が、偶然性に左右される事象を生起する処理を行い、他の仕事を第１の中央処理装置が行う方法である。
　【作用】
　デュアルワンチップマイクロコンピュータの第１の中央処理装置は、例えば、ゲームの進行状態を制御する主処理に使用し、第２の中央処理装置は、発音装置、発光装置、その他の出力装置を制御するための副処理に使用する。この両中央処理装置は、記憶装置を専用的に又共用的に使用出来るため、独自のプログラムを記憶させたり、共通のデータを共通に管理することが出来、複雑なゲームの処理を簡単化できる。又、動作状態の中央処理装置を自動的に１ステップづつ交互に又プログラム制御で任意に切り換える事が出来るので、マクロ的には、両中央処理装置は、平行に動作しているものと見做すことが出来る。したがって、リアルタイム平行処理が可能となるので、たとえば、ゲームの進行の管理と、出力装置の管理とを平行に分業して行うことが出来る。このため、より木目細かな複雑な制御が出来る。また、割込み処理の如く、レジスタの退避等の割り込み処理特有の処理を行う必要がないので、動作が効率的である。」（第２頁右上欄第７行〜右下欄第１１行）、
「制御装置には、デュアル・ワンチップマイクロコンピュータ１（以下「デュアルコンピュータ」と言う）が使用されている。そのデュアルコンピュータ１は、ＣＰＵＩとＣＰＵ２の２つの中央処理装置を有しており、内部ＲＯＭ、内部ＲＡＭを双方からアクセスすることが可能である。そして、それぞれのＣＰＵは、独自のプログラムに沿って、１ステップづつ自動的に交互に実行したり（オートスワップモード）、動作ＣＰＵのプログラム制御により、他のＣＰＵに動作を移行させる制御が可能である（プログラムスワップモード）。
　係るデュアルコンピュータ１には、外部ＲＯＭ３、外部ＲＡＭ５が両ＣＰＵからともにアクセス可能に接続されている。」（第３頁右上欄第１７行〜左下欄第１１行）、
「以上述べたように、本実施例では、デュアルコンピュータの２のＣＰＵの内１のＣＰＵは、パチンコ機の主制御に用い、他のＣＰＵは、制御の複雑な、発音装置の制御専用に使用されている。したがって、個々に独立のプログラムを開発すれば良いので、製作が簡単である。」（第６頁左上欄第６行〜第１１行）、
「したがって、両中央処理装置は、独自の処理プログラムに沿って、必要なデータを共有しつつ、平行的に実行することが出来るので、異なる仕事の同時処理が可能となる。このため、パチンコ機のゲーム展開をより複雑にしたり、ゲームの進行と平行して、複雑な楽音で構成されたメロディーを出力したり、複雑に変動なる照明を実現したりすることが可能となり、より娯楽性を向上させることが出来る。また、プログラムの開発は、それぞれの中央処理装置に制御させる独自のプログラムを他の中央処理装置のプログラムに影響されることなく別個に行うことができる。従って、ゲームプログラムの開発と、発音制御等のプログラムの開発とを、それぞれの専門家の手で行うことができ、装置の開発が容易となる。」（第６頁右上欄第１４行〜左下欄第８行）、
刊行物７（実願昭５３−３７２３３号（実開昭５４−１４０８８２号）のマイクロフィルム）
「１０は制御装置全体を示し、これは１枚のプリント基板で構成される。そして、この制御装置の中央部である演算部は、１チップのマイクロＣＰＵ１１である。１チップＣＰＵは、その内部にＲＯＭ、ＲＡＭを内蔵する」（第４頁第１２行〜第１６行）
（対比・判断）
　そこで、本件発明と、上記刊行物１〜７に記載された発明とを対比すると、これらの刊行物に記載の発明は、本件発明の「前記ＲＯＭを、遊技内容または仕様が異なる複数種類の前記パチンコ機の各々に対して、共通使用可能な基本プログラムが格納されている共通ＲＯＭと、
　前記複数種類の前記パチンコ機の各々に対して、固有な非共通プログラムが格納されている非共通ＲＯＭとで構成し、
　少なくとも前記共通ＲＯＭおよびＣＰＵが一体に形成される集積回路を設けている」という構成を備えておらず、また、これを示唆する記載も認められない。本件発明は、上記構成を備えることにより、回路設計の変更を容易にし、非共通プログラム用ＲＯＭのサイズを小さくでき、不正行為を防止できるという顕著な効果を奏するものであるから、本件発明が、上記刊行物１〜７に記載された発明に基づいて当業者が容易に発明をすることができたものとすることはできない。
　したがって、本件発明は、特許出願の際、独立して特許を受けることができないとすることはできない。
オ．むすび
　以上のとおりであるから、上記訂正は、特許法第１２０条の４第２項の規定に適合し、同条第３項で準用する第１２６条第２−４項の規定に適合するので、上記訂正を認める。
（３）特許異議申立てについての判断
ア．本件発明の要旨
　本件発明の要旨は、訂正明細書及び図面の記載からみて、その特許請求の範囲に記載されたとおりのものである〔（２）ア．を参照〕。
イ．申立ての理由の概要
　申立人株式会社エルイーテックは、▲１▼本件発明は、原出願の願書に最初に添付された明細書又は図面に記載された発明とは同一ではなく、出願日のそ及の効果を得ることができないので、原出願である特開平０１−１７１５８５号公報（甲第１号証）に記載の発明に基づいて当業者が容易に発明をすることができたものであるから、特許法第２９条第２項の規定に該当し、本件特許は、同法第１１３条第１項第２号の規定により取り消されるべきと、▲２▼本件発明は、甲第３号証（特開昭６２−１８３７７９号公報）、甲第４号証（特開昭５９−７５０７５公報）に記載の発明に基づいて、当業者が容易に発明をすることができたものであるから、特許法第２９条第２項の規定に該当し、本件特許は、同法第１１３条第１項第２号の規定により取り消されるべきと、▲３▼本件発明は、「発明の詳細な説明に記載されたものであること」（特許法第３６条第６項第１号）とする要件に違反するとともに特許法第３６条第４項の規定にも違反して特許されたものであり、特許法第１１３条第１項第２号の規定により特許を取り消されるべきと主張している。
　申立人細江裕実は、本件発明は、甲第１号証（上記刊行物１）及び甲第４号証（上記刊行物４）に記載の発明に基づいて、当業者が容易に発明をすることができたものであるから、特許法第２９条第２項の規定に該当し、本件特許は、同法第１１３条第１項第２号の規定により取り消されるべきと主張している。
ウ．判断
ウー１．申立人株式会社エルイーテックの理由について
（理由▲１▼）
　訂正明細書の特許請求の範囲には、「遊技内容または仕様が異なる複数種類の前記パチンコ機の各々に対して、共通使用可能な基本プログラムが格納されている共通ＲＯＭ」と記載されているように、共通ＲＯＭには基本プログラムを格納していることが明示され、原明細書の「基本プログラムを格納したＲＯＭ３２」（公開公報第２頁左上欄第１２行）の記載と一致している。
　原明細書には、「なお、本実施例は非共通回路９のみを集積回路化したがそれに限定されるものではなく、共通回路８のみ、または共通回路８と非共通回路９とをともに集積回路化しても良い。」（公開公報第４頁右下欄第１２行〜第１５行）と記載されている。
　原明細書には、非共通回路９を集積回路化する場合について、第６図とともに記載されており、共通回路８のみ、または共通回路８と非共通回路９とをともに集積回路化する場合にも、共通回路８または共通回路８と非共通回路９を第６図の非共通回路９に置き換えて実施すれば良いことは当業者が容易に理解し得ることと認められる。したがって、本件発明の出願は、適法に分割出願をしたものであり、原特許出願の時にしたものとみなされる。
（理由▲２▼）
　甲第２号証（「ワンチップ・マイコンの基礎とその応用技術」昭和６２年２月１０日ＣＱ出版株式会社発行」）には、「代表的な回路構成は図１．１１のようになります。これを見てもわかるように、回路上で入力あるいは出力以外に必要なものは、わずかＣＲ５点程度です。それはマイコンとして必要な内部の作動を同期して進めるためのクロック回路、および電源投入時に命令の解読をプログラムの最初に設定するためのリセット回路であり、それもチップ内にはできないコンデンサなどに限られています。つまり、写真１．１のチップ内部の写真のように、マイコンとして必要なＣＰＵ、ＲＯＭ、ＲＡＭ、Ｉ／Ｏはすべてチップ内に納められ、外部とはＩ／Ｏの入出力線のみ接続されているわけです。」（第２４頁第１行〜第８行）ことが記載されている。
　甲第３号証（特開昭６２−１８３７７９号公報）には、制御基板を共通回路と非共通回路に分け、「共通回路基板１２には、中央処理装置（ＣＰＵ）およびランダムアクセスメモリ（ＲＡＭ）を含む集積回路チップ２４、リードオンリメモリ（ＲＯＭ）を含む集積回路チップ２６、電源回路集積回路チップ２８、音発生回路集積回路チップ３０を含んでいる。」（第２頁右下欄第１６行〜第３頁左上欄第１行）ことが記載されている。
　甲第４号証（特開昭５９−７５０７５号公報）には、「マイクロプロセッサ４１は、中央処理装置（以下ＣＰＵ）４１ａ、入力インターフェース４１ｂ、出力インターフェース４１ｃ、プログラム記憶用メモリ（以下ＲＯＭ）５０およびデータ記憶用メモリ（以下ＲＡＭ）６０を含む。」（第６頁左下欄第７行〜第１１行）ことが第４図とともに記載されている。
　甲第５号証（「ワンチップマイクロコンピュータ」昭和５４年１月３０日丸善株式会社発行）には、「ところでマイクロコンピュータの基本構成要素は、
　（１）データの出し入れを行う入出力部
　（２）演算およびデータ処理を行う中央処理部
　（３）プログラム保持用およびデータ保持用メモリ部
の３つである。（３）のメモリとしてプログラムの保持にはＲＯＭが、データの保持にはＲＡＭが使用される。
　マイクロコンピュータの基本構成要素として、上記の３つをあげたが、これ以外にクロック発生器も重要な構成要素のひとつであり、実際のワンチップマイクロコンピュータの製品には、クロック発生器を内蔵したものが多い。」（第１６頁第１４行〜第２２行）ことが図１．９とともに記載されている。
　そこで、本件発明と上記甲２〜５号証に記載の発明と比較する。
　上記甲２〜５号証に記載の発明は、本件発明の「前記ＲＯＭを、遊技内容または仕様が異なる複数種類の前記パチンコ機の各々に対して、共通使用可能な基本プログラムが格納されている共通ＲＯＭと、
　前記複数種類の前記パチンコ機の各々に対して、固有な非共通プログラムが格納されている非共通ＲＯＭとで構成し、
　少なくとも前記共通ＲＯＭおよびＣＰＵが一体に形成される集積回路を設けている」という構成を備えておらず、また、これを示唆する記載も認められない。本件発明は、上記構成を備えることにより、回路設計の変更を容易にし、非共通プログラム用ＲＯＭのサイズを小さくでき、不正行為を防止できるという顕著な効果を奏するものであるから、本件発明は、上記甲第２〜５証に記載された発明に基づいて当業者が容易に発明をすることができたものとすることはできない。
（理由▲３▼）
　本件発明の「少なくとも前記共通ＲＯＭおよびＣＰＵが一体に形成される集積回路を設けている」という構成は、「前記共通ＲＯＭおよびＣＰＵが一体に形成される集積回路」であればよく、特にその集積回路の構成に特徴を有するものではなく、当該技術分野における周知技術を用いて形成すればよいものである。
　この構成に対応して、本件訂正明細書段落【００４６】には、「これらのうち少なくともＣＰＵ３０とＲＯＭ３２とが一体な集積回路を形成すれば、共通集積回路４２を旧機種の非共通回路９から、新たな非共通回路９に差し換えるだけで、遊技機器２の種類に応じて容易、かつ、確実に交換することができ、また共通集積回路４２が少なくとも共通ＲＯＭ３２およびＣＰＵ３０を一体に形成しているので、第三者が共通集積回路４２の構成と、その周辺回路における相関関係についてハードウエアおよびソフトウエアを解析することを、複数種類の回路が混在する集積回路で形成することで困難にするとともに、不正行為の発生を抑止する。」と記載されており、「前記共通ＲＯＭおよびＣＰＵが一体に形成される集積回路」は、遊技機器２の種類に応じて容易、かつ、確実に交換することができ、またハードウェアおよびソフトウエアの解析を困難にするとともに不正行為の発生を抑止する作用を有するものである。
　申立人は、特許異議申立書で、「本件特許の明細書には、甲第５号証に記載されている集積回路化に必須な（１）の入出力回路に関する記載がなく、発振回路に関する記載もないことから、発明者の意識として集積回路化という発想は存在したとしても具体的手段について何等構想も無かったものと思われる」と主張している。
　しかしながら、本件発明においては、「少なくとも前記共通ＲＯＭおよびＣＰＵが一体に形成される集積回路を設けている」と記載されているように、集積回路化すべき最小限の構成を限定しているのであって、それ以外の構成について、特に限定すべき理由は認められないから、この主張は採用できない。
　したがって、本件発明は、特許法第３６条の規定を満たしていないとすることはできない。
ウー２．申立人細江裕実の理由について
　上記甲１〜７号証（当審で引用した刊行物１〜７）に記載された発明は、本件発明の「前記ＲＯＭを、遊技内容または仕様が異なる複数種類の前記パチンコ機の各々に対して、共通使用可能な基本プログラムが格納されている共通ＲＯＭと、
　前記複数種類の前記パチンコ機の各々に対して、固有な非共通プログラムが格納されている非共通ＲＯＭとで構成し、
　少なくとも前記共通ＲＯＭおよびＣＰＵが一体に形成される集積回路を設けている」という構成を備えていないことは、上記（２）エで述べたとおりであって、本件発明は、上記甲第１〜７号証に記載された発明に基づいて当業者が容易に発明をすることができたものとすることはできない。
エ．むすび
　以上のとおりであるから、特許異議申立ての理由及び証拠によっては、本件発明の特許を取り消すことはできない。
　また、他に本件発明の特許を取り消すべき理由を発見しない。
　よって、結論のとおり決定する。
【異議決定日】
平成１１年１０月７日（１９９９．１０．７）
【訂正の要旨】
　訂正の要旨
　特許第２７６９６８９号発明の明細書を以下のとおり訂正する。
▲１▼訂正事項ａ
　発明の名称「遊技機器の制御装置」を、明りょうでない記載の釈明を目的として、「パチンコ機の制御装置」と訂正する。
▲２▼訂正事項ｂ
　特許請求の範囲（平成９年１１月１７日付け手続補正書第２頁第４行、特許掲載公報第１欄第６行）「複数種類の前記パチンコ機」を、特許請求の範囲の減縮を目的として、「遊技内容または仕様が異なる複数種類の前記パチンコ機」と訂正する。
▲３▼訂正事項ｃ
　特許請求の範囲（平成９年１１月１７日付け手続補正書第２頁第４行〜第５行、特許掲載公報第１欄第７行）「共通使用可能な内容」を、特許請求の範囲の減縮を目的として、「共通使用可能な基本プログラム」と訂正する。
▲４▼訂正事項ｄ
　特許請求の範囲（平成９年１１月１７日付け手続補正書第２頁第６行、特許掲載公報第１欄第１０行）「非共通内容」を、特許請求の範囲の減縮を目的として、「非共通プログラム」と訂正する。
▲５▼訂正事項ｅ
　明細書（平成９年１１月１７日付け手続補正書第２頁第１５行、特許掲載公報第１欄第１５行）の【０００１】の次に、明りょうでない記載の釈明を目的として、「【発明の属する技術分野】」を挿入する。
▲６▼訂正事項ｆ
　明細書（平成９年１１月１７日付け手続補正書第２頁第２３行、特許掲載公報第２欄第２行）の【０００２】の次に、明りょうでない記載の釈明を目的として、「【従来の技術】」を挿入する。
▲７▼訂正事項ｇ
　明細書（【００１２】第３行〜第４行、特許掲載公報第３欄第４１行）の「復数」を、誤記の訂正を目的として、「複数枚の」と訂正する。
▲８▼訂正事項ｈ
　明細書（平成９年１１月１７日付け手続補正書第４頁第１４行〜第１７行、特許掲載公報第５欄第１５行〜第１９行）の「前記ＲＯＭを．複数種類の前記パチンコ機の各々に対して、共通使用可能な内容が格納されている共通ＲＯＭ３２と、前記複数種類の前記パチンコ機の各々に対して、固有な非共通内容が格納されている非共通ＲＯＭ２０」を、明りょうでない記載の釈明を目的として、「前記ＲＯＭを、遊技内容または仕様が異なる複数種類の前記パチンコ機の各々．に対して、共通使用可能な基本プログラムが格納されている共通ＲＯＭ３２と、前記複数種類の前記パチンコ機の各々に対して、固有な非共通プログラムが格納されている非共通ＲＯＭ２０」と訂正する。
▲９▼訂正事項ｉ
　明細書（平成８年８月２０日付け手続補正書第２頁第２８行及び第２９行、特許掲載公報第５欄第２２行及び第２４行）の「遊技機器２」を、明りょうでない記載の釈明を目的として、「パチンコ機２」と訂正する。
▲１０▼訂正事項ｊ
　明細書（平成８年８月２０日付け手続補正書第３頁第５行、特許掲載公報第５欄第３１行〜第３２行）の「を抑止し、電源回路３４は共通集積回路４２に電力を供給する。」を、明りょうでない記載の釈明を目的として、「を抑止する。」と訂正する。
▲１１▼訂正事項ｋ
　明細書（平成９年１１月１７日付け手続補正書第６頁第１２行、特許掲載公報第６欄第８行）の「４５下皿」を、明りょうでない記載の釈明を目的として、「４５は下皿」と訂正する。
▲１２▼訂正事項ｌ
　明細書（【００３６】第２行、特許掲載公報第６欄第２１行）の「ハンドル２３操作」を、明りょうでない記載の釈明を目的として、「ハンドル２３の操作」と訂正する。
▲１３▼訂正事項ｍ
　明細書（【００４６】第５行〜第６行、特許掲載公報第７欄第２４行〜第２５行）の「その周辺回路における相関関係とのハードウエアおよびソフトウエアについて解析」を、明りょうでない記載の釈明を目的として、「その周辺回路における相関関係についてハードウエアおよびソフトウエアを解析」と訂正する。
▲１４▼訂正事項ｎ
　明細書第１３頁末行（特許掲載公報第１０欄第３１行）の「４２　デュアルインラインパッケージ」を、誤記の訂正を目的として、「４２Ａ　デュアルインラインパッケージ」と訂正する。
（５４）【発明の名称】
パチンコ機
（５７）【特許請求の範囲】
１．パチンコ機の制御に係るプログラムおよびデータが予め格納されているＲＯＭと、
前記プログラムを実行するＣＰＵとを備えるパチンコ機の制御装置において、
　前記ＲＯＭを、
遊技内容または仕様が異なる
基本プログラム
　前記複数種類の前記パチンコ機の各々に対して、固有な非共通
プログラムが
　少なくとも前記共通ＲＯＭおよびＣＰＵが一体に形成される集積回路を設けていることを特徴とするパチンコ機の制御装置。
【発明の詳細な説明】
　　　　　【０００１】
　　
【発明の属する技術分野】
　本発明は、ＣＰＵ，ＲＯＭ，ＲＡＭ等を使用するパチンコ機の制御装置の改良に関する。
　　　【０００２】
　　
【従来の技術】
　近年、パチンコ機は、マイクロコンピュータの普及に伴ない複雑高度な遊技が可能になり、遊技の多様化が望まれている。
　　　【０００３】
　この交換は経済的な理由から遊技機器の全てについて行われるものではなく、各構成部品の一部を交換している。
　　　【０００４】
　つぎに上記遊技機器の交換をパチンコ機の場合を例にして以下に説明する。パチンコ機は遊技内容、いいかえれば機種が異っても基本的な装置の構成および遊技手順が変化することはなく、打球装置、賞品球払出装置など機構部の交換がなされることは少ない。
　　　【０００５】
　すなわちパチンコ機の交換はゲージ盤と呼ばれる遊技盤と、遊技手順を実行するための電子制御系部品（以下、「電子部品」という）によって構成される制御装置のみを交換すればよい。
　　　【０００６】
　ところで上記制御装置の電子部品は図７に示すように基板に実装され、ＣＰＵ３０など、交換後のパチンコ機にも共通に使用可能な回路を構成する共通電子部品と、固有の遊技手順（プログラム）を格納したＲＯＭ２０など、共通使用不可能な回路を構成する非共通電子部品とに分類される。
　　　【０００７】
　このため遊技盤については、その意匠上の理由からも、全てを新たなものに交換する必要があるが、電子部品においては、非共通なもののみを新たに交換することが経済的に望ましい。
　　　【０００８】
　上記の共通電子部品には、ＣＰＵ３０、ＲＡＭ３１、パチンコ機を構成する基本的な構成部材を制御するための基本プログラムが格納されているＲＯＭ３２、機構部（図示省略）とＣＰＵ３０との基本的な電気的整合を図るための整合回路３３、電源回路３４、基本的な効果音などを発生させるための音声信号発生回路２８、および、抵抗器などがある。
　　　【０００９】
　他方、非共通電子部品には、新遊技盤の遊技手順など、新たな遊技に固有なものである固有プログラムと、その実行のために必要なデータとが格納されているＲＯＭ２０、遊技の進行に伴う遊技手順の実行時に、ＣＰＵ３０の演算結果および各種データなどを一時的に格納するための記憶容量拡張用のＲＡＭ３７、前記機構部とＣＰＵ３０との固有な整合を図る整合回路３８、固有な効果音などを発生させる音声信号発生回路３５、固有な機構を制御する回路および抵抗器などがある。
　　　【００１０】
　これらの電子部品のうち、非共通電子部品のみを新たに交換するには旧遊技盤をパチンコ機の設置場所から外し、旧遊技盤の共通電子部品を取外す。そして、この取外した共通部品を予め非共通電子部品が装着された新遊技盤に装着し、この新遊技盤をこれらの電子部品とともに前記設置場所に再設置する。
　　　【００１１】
　すなわちパチンコ機の電子部品において、旧遊技盤の共通電子部品は再利用され、非共通電子部品のみを交換したことになる。
　　　【００１２】
　この再設置後に機構部と電子部品との電子系の検査および機構部と電子部品との整合を検査してパチンコ機の交換を終了する。このパチンコ機に関する電子部品の交換作業は各電子部品を共通または非共通なもの毎に分類実装した２種の
複
枚の
　　　【００１３】
　【発明が解決しようとする課題】
　前記のように、電子部品（制御装置）を遊技盤とともに全て交換した場合に経済的問題が生じるが、非共通電子部品のみを交換する場合には以下に説明するような問題があるので、現状では新遊技盤用の全ての電子部品が実装された単体基板を新遊技盤に装着し、旧遊技盤をこの新遊技盤に交換していた。
　　　【００１４】
　そのため、次のような問題があった。第１に交換作業および交換作業後にはパチンコ機の機構、電子部品、および両者の整合に関する各種検査を行わなければならず、この検査作業に要する工数が多い。
　　　【００１５】
　さらに基板を共通電子部品と非共通電子部品とに分離しているため、基板の信号線デザインおよび回路設計など基板設計上の制限が大きくなる。このため、パチンコ機の交換作業および基板の開発に多くの時間を要するために作業能率が悪い。
　　　【００１６】
　第２に、共通電子部品と非共通電子部品とは複数枚の基板に分離して実装されており、通常これらの各基板はコネクタを介して制御回路、各基板などに連結されている。
　　　【００１７】
　このため図８に示すようにコネクタが増加するので各電子部品を単体基板に実装した場合より連結箇所が多くなり、振動などに起因する接触不良による不良品発生の可能性が大きくなる。
　　　【００１８】
　したがって生産時にはランニングコストが増加し、パチンコ機の遊技（作動）時には故障発生率が増加する傾向にあるため製品信頼度が低下する。
　　　【００１９】
　そして、これらのランニングコスト増加および製品信頼度低下を抑制するため、コネクタの接続箇所を半田付によって接続する方法はあるが、この半田付作業は前記複数枚の各基板への電子部品実装時の他に、各基板の接続時に行わなければならないため、作業工数が増加する。
　　　【００２０】
　第３に、共通電子部品は全てのパチンコ機に使用可能であり、またＲＯＭは書き込み内容を所定のものに変更することよって全てのパチンコ機に使用可能になる。
　　　【００２１】
　しかしながら回収された共通電子部品およびＲＯＭを再利用するときには、これらの電子部品の基本性能を充分検査する必要があるので、多くの時間を要するとともに、電子部品の信頼度が低下する。
　　　【００２２】
　第４に、これらの基板は従来の単体の基板を分離してコネクタで一体に形成しているので、各基板は従来のものより小型化されている。これにより、着脱が容易であるために基板上の回路およびＲＯＭ内容を変更するなど不正行為発生の可能性が大きくなる。
　　　【００２３】
　すなわち、前記ＲＯＭには遊技機器の主構成たる遊技手順が格納されており、ＲＯＭを基板から取り外してＲＯＭライタで複写、改窮することは容易であり、さらには制御回路に装着されているＣＰＵの代わりに、エミュレータに接続したり、ＲＡＭの信号をモニタしたりして、遊技手順を解析することはきわめて容易で、上記ＲＯＭライタおよびエミュレータのいずれも、市販の機種が使用されている。上記のように、遊技場に搬入されたパチンコ機は、遊技場側または第三者により、上記方法等で遊技手順を解析されたり、さらには客寄せ等のために、正規のＲＯＭの代わりに、プログラムを改憲した不正なＲＯＭに交換された制御基板を営業用として悪用されることがあった。一方、パチンコ機のメーカー側にとっては、これらを防止するため、実開平１−２６０８５号（実公平６−２１５１３号）に開示されているように、回路ボックスに封印シールを貼付していた。
　　　【００２４】
　そのため本発明は、電子部品の交換が容易、確実であり、かつ不正行為防止対策手段を有するパチンコ機を提供するものである。
　　　【００２５】
　　【課題を解決するための手段】
　本発明は上記課題を解決するために、パチンコ機２の制御に係るプログラムおよびデータが予め格納されているＲＯＭと、前記プログラムを実行するＣＰＵ３０とを備えるパチンコ機の制装置において、前記ＲＯＭを、
遊技内容または仕様が異なる
基本プログラム
プログラム
　　　【００２６】
　
パチンコ機
パチンコ機
。
　　　【００２７】
　一方、ソフトウエアの開発に当たり、技術者は非共通ＲＯＭ２０に格納される内容を開発すればよく、その容量がすべてを開発する場合よりも縮小されることから、開発期間の短縮を図ることができる。
　　　【００２８】
　　【実施の実施の形態】
　以下に、本発明の一実施の形態を図面に基づいて詳細に説明する。図２は本発明の制御装置１を備えた、パチンコ機２の裏側を示している。
　　　【００２９】
　パチンコ機の制御装置１は基板３６（図５）に実装された各電子部品で構成され、３で示す基板ボックス内に従来同様に収容されている。
　　　【００３０】
　４は賞品球を貯溜する貯溜タンク、５は払出数を複数種類設けた賞品球払出装置６に貯溜タンク４の賞品球を誘導する誘導樋、７は基板３６に制御される打球装置で、この打球装置７は図１および図２ないし図３に示す出力装置（後述）１０の一部を構成している。
　　　【００３１】
　なお、基板３６の信号線の図示は省略してあり、１１（図３）は基板３６に制御信号を入力する入力装置を表わす。
　　　【００３２】
　パチンコ機２は本体である中枠１２と、中枠１２にヒンジ１５によって開閉可能な外枠１４と、中枠１２に設けた遊技盤収納枠１６とを主構成としている。この遊技盤収納枠１６には遊技盤１９がロック部材１８によって着脱可能に設けてある。
　　　【００３３】
　さらに、図４に示すように、４４は上皿、４５昼下皿、４６はガラス枠、４７は遊技盤１９に設けた凸部（図示省略）を収容する収容穴、４８は遊技盤１９に係合して遊技盤１９を収容する収容凹部である。
　　　【００３４】
　入力装置１１は基板３６に遊技を行うための信号を入力するもので、基板３６には入力装置１１からの入力信号と、予めＲＯＭ（後述）２０に格納された固有の遊技手順とに基づいて出力装置１０に制御信号を入力する制御回路２９が組み込まれている。
　　　【００３５】
　図３に示すように、入力装置１１は打球装置７を作動させる打球開始スイッチ２１と、打球されたパチンコ球の入賞をパチンコ球の近接により検知する入賞検知スイッチ２２とを主構成とする。
　　　【００３６】
　打球開始スイッチ２１はパチンコ機２の表側右下に設けたハンドル２３に内蔵され、ハンドル２３
の
　　　【００３７】
　入賞検知スイッチ２２は近接センサからなり、遊技盤１９面に配設された入賞口２４内に収容されたリング状のものである。
　　　【００３８】
　入賞検知スイッチ２２は入賞球が前記リング内を通過することによって、打球されたパチンコ球が入賞したことを表わす信号を発生させる。２５はアウト球孔である。
　　　【００３９】
　そのほかの主な入力装置１１としては、特定の入賞状態を検知するとともに特定入賞を表わす信号を発生させる特定入賞検知スイッチ（図示省略）などがある。
　　　【００４０】
　出力装置１０は基板３６から入力される制御信号に基づいて遊技手順を実行するもので、打球装置７など共通使用可能なものと、パチンコ機２に固有な共通使用不可能なものとがある。
　　　【００４１】
　共通使用不可能なものには、たとえば本実施の形態の場合、遊技盤１９表側には前記特定入賞検知スイッチの特定の入賞条件に応じて入賞確率を上昇させる開閉翼２６、各種の入賞状態をランプの点灯によって表示する表示装置２７が配設してある。
　　　【００４２】
　そのほかの主な出力装置１０としてはパチンコ機２の表側に設けた各種の入賞状態を音声で表示するスピーカ（図示省略）、該スピーカに音声信号を入力する音声信号発生回路２８，３５などがある。
　　　【００４３】
　基板３６は出力装置１０を制御するための制御回路２９を構成する電子部品と、基板３６に設けたプリント配線（図示省略）とからなるもので、図１に破線で示すように、共通回路８および非共通回路９に分けられている。
　　　【００４４】
　共通回路８は遊技内容または仕様が異る複数種類のパチンコ機２にそれぞれ共通使用可能であり、非共通回路９は前記複数種類の各パチンコ機２にそれぞれ遊技機器に固有なものである。したがって、非共通回路９は異機種の各パチンコ機間における共通使用は不可能である。
　　　【００４５】
　共通回路８はＣＰＵ３０、ＲＡＭ３１、基本（共通）プログラムを格納したＲＯＭ３２、各パチンコ機２の共通の機構部（図示省略〜たとえば打球装置、賞品球払出装置など）とＣＰＵ３０との間の基本的な整合を図る整合回路３３、パチンコ機２の異常報知などの共通に使用可能な音声を発生させる音声信号発生回路２８、電源回路３４、発振回路４０、割込信号発生回路４１および抵抗器（図示省略）などの電子部品で構成されている。
　　　【００４６】
　しかしながら、これらのうち少なくともＣＰＵ３０とＲＯＭ３２とが一体な集積回路を形成すれば、共通集積回路４２を旧機種の非共通回路９から、新たな非共通回路９に差し換えるだけで、遊技機器２の種類に応じて容易、かつ、確実に交換することができ、また共通集積回路４２が少なくとも共通ＲＯＭ３２およびＣＰＵ３０を一体に形成しているので、第三者が共通集積回路４２の構成と、その周辺回路における相関関係
について
　　　【００４７】
　また上述した共通集積回路４２と、少なくともＲＯＭ２０を包含する回路とのいずれか一方が、他方に対して着脱可能に形成されていれば、集積回路間の着脱のみで遊技機器２を他機種に交換できる。
　　　【００４８】
　他方、非共通回路９は各パチンコ機２の遊技手順など固有（非共通）プログラムとデータとを格納したＲＯＭ２０、記憶容量拡張用のＲＡＭ３７、前記機構部のうちのパチンコ機２に固有のもの（たとえば開閉翼など所定の条件に応じて入賞確率を上昇させるもの）とＣＰＵ３０との整合を図る整合回路３８、固有音声を発生させる音声信号発生回路３５、固有な機構部（開閉翼など）を制御する機構制御回路３９および抵抗器などの電子部品で構成されている。
　　　【００４９】
　この非共通回路９は集積回路化してあり、図６に示すように、デュアルインラインパッケージ（以下、ＤＩＰ（Ｄｕａｌ　Ｉｎｌｉｎｅ　Ｐａｃｋａｇｅ）という）４２Ａに形成されている。
　　　【００５０】
　非共通回路９をＤＩＰ４２Ａで形成することにより、制御回路２９の構成要素が第三者によって識別されにくくしているため、たとえ第三者が制御回路２９の解析を試みても、共通回路８自体および非共通回路９自体の解析が困難なだけでなく、両回路の相関関係がきわめて把握しにくく、それはＤＩＰ４２Ａで構成された非共通回路９について一層顕著になる。
　　　【００５１】
　また第三者による解析に際し、共通回路８自体および非共通回路９間で相互に授受される信号を時系列に沿って検出することに基づき、遊技の主構成たるソフトウエアの解析が考えられ、所謂エミュレータと呼ばれる解析機器（図示省略）を共通回路８の主構成たるＣＰＵ３０の代用として接続することになる。
　　　【００５２】
　しかしながら、たとえば共通回路８が、図１に示すようにＣＰＵ３０および共通ＲＯＭ３２を主構成として、互いに混在させている集積回路で構成された場合、上記接続は困難をきわめ、このようなソフトウエア解析は事実上不可能である。
　　　【００５３】
　他方、非共通回路９がＤＩＰ４２Ａで構成されている場合、図示を省略した上記ＲＯＭライタを活用しようとしても、非共通回路９に包含されているＲＯＭ２０を上記ＲＯＭライタに対して装着させること、いいかえれば遊技特有の制御手順を上記ＲＯＭライタに読み込ませることは、上述した複数種類の回路の混在に起因して、きわめて困難になり、この種のソフトウエア解析は事実上不可能である。
　　　【００５４】
　４９はペアチップ、５０は金ワイヤ、５１はピン、５２はリードフレーム、５３は接着剤、１３は配線シート、１７はパッケージ基材である。また、４３はＤＩＰ４２Ａを着脱可能に実装するソケットである。
　　　【００５５】
　つぎに上記構成の基板３６が装着されたパチンコ機２を、当該パチンコ機２と異る遊技手順（遊技内容）のパチンコ機２に交換する場合を以下に説明する。
　　　【００５６】
　以下、交換前に設置箇所に設置されているパチンコ機２を旧パチンコ機２、交換後に設置箇所に設置されているパチンコ機２を新パチンコ機２ということにする。
　　　【００５７】
　まず旧パチンコ機２の電源回路３４の機能を機能解除したのち、図示を省略した信号線などを適宜処理しながらロック部材１８を解除して遊技盤１９を取り外す。
　　　【００５８】
　そして基板ボックス３から基板３６を取り外して、ＤＩＰ４２Ａすなわち非共通回路９をソケット４３から引き抜く。
　　　【００５９】
　しかるのち、新パチンコ機２のＤＩＰ４２Ａすなわち非共通回路９をソケット４３に挿入し、基板３６を新パチンコ機２の基板ボックス３に装着して基板３６の交換を終了する。
　　　【００６０】
　なお本実施の形態は非共通回路９のみを集積回路化したがそれに限定されるものではなく、共通回路８のみ、または共通回路８と非共通回路９とをともに集積回路化しても良い。
　　　【００６１】
　さらに本実施の形態における集積回路は、集積回路のチップをＤＩＰ４２Ａに収めた場合を説明したが、チップをボンディングなどによって基板３６に組み込んでもよい。この場合には、ほかの電子部品をソケット４３に着脱可能に実装する。
　　　【００６２】
　　【発明の効果】
　本発明は以上のように構成したものなので、集積回路には不正行為を施すことが困難になる。
　　　【００６３】
　このため、基板３６の信号線デザインおよび回路設計など基板３６の設計上の制限が緩和される。これにより、パチンコ機２の交換作業および基板３６の開発が容易になり、これらの作業時間が短縮するので作業能率が向上する。
　　　【００６４】
　さらに、共通回路８は同機種、異遊技手順のパチンコ機２に全て使用可能なので、生産コストを低下させることができる一方、ソフトウェアの開発に当たり、技術者は非共通ＲＯＭ２０に格納されるプログラムおよびデータのみを開発すればよく、その容量がすべてを開発する場合よりも縮小されることから、回路設計の変更を容易にすると共に、開発期間の短縮を図ることができる。また、共通プログラムは共通ＲＯＭエリアに格納したため、非共通プログラム用ＲＯＭのサイズを小さくできる。これにより制御基板３６の小型化に寄与できる。
　　　【００６５】
　第２に、共通回路８と非共通回路９との接続にコネクタを使用することが皆無になったので、振動などに起因する接触不良による不良品発生の可能性が極めて小さくなる。これにより、生産時にはランニングコストが低減し、パチンコ機２の遊技（作動）時には故障発生率が低減するため製品信頼度が向上する。
　　　【００６６】
　第３に、集積回路には不正行為を施すことが困難になるために、プログラムの書き換え、ハード（基板３６、電子部品）の加工など不正行為の防止対策に充分な効果を有する。
　　　【００６７】
　また制御回路を共通回路８および非共通回路９に分割し、そのいずれかを集積回路で形成することにより、たとえ第三者が制御回路の解析を試みても、共通回路８自体および非共通回路９自体の解析が困難なだけでなく、両回路の相関関係がきわめて把握しにくく、パチンコ機２のソフトウエアおよびハードウエアの模倣、および、改憲に起因する不正行為の発生を確実に抑止できる。
【図面の簡単な説明】
　　【図１】
　本発明の一実施の形態の構成を表したブロック図である。
　　【図２】
　図１のものを収容したパチンコ機裏側を表した背面図である。
　　【図３】
　図２の正面図である。
　　【図４】
　図３の遊技盤の着脱状態を表した斜視図である。
　　【図５】
　図１の斜視図である。
　　【図６】
　図１の集積回路をＤＩＰで構成した場合を表した正面図である。
　　【図７】
　従来のパチンコ機２の制御基板を表した斜視図である。
　　【図８】
　図７と異る従来例を示した斜視図である。
　　【符号の説明】
１　パチンコ機の制御装置
２　パチンコ機
８　共通回路
９　非共通回路
１０　出力装置
１１　入力装置
２０　非共通ＲＯＭ
２９　制御回路
３０　ＣＰＵ
３２　共通ＲＯＭ
４２
Ａ